【手続補正書】
【提出日】平成16年11月15日(2004.11.15)
【手続補正１】
【補正対象書類名】明細書
【補正対象項目名】特許請求の範囲
【補正方法】変更
【補正の内容】
【特許請求の範囲】
【請求項１】
内周面に外輪軌道を有する外輪と、外周面に内輪軌道を有する内輪と、これら外輪軌道と内輪軌道との間に転動自在に設けられた複数個の転動体とを有する転がり軸受の状態を検出する為の複数種類のセンサを保持したセンサユニットであって、これら各センサ毎に設けられた複数の保持ブロックと、これら複数の保持ブロックを保持自在な単一のセンサホルダとを備え、これら各保持ブロックは、上記各センサのうちの少なくとも１個のセンサと、このセンサの検出部から取り出した信号を処理する為の信号処理回路とを有するものである事を特徴とするセンサユニット。
【請求項２】
各保持ブロックは、信号処理回路により処理された信号を取り出す為の第一接続部を有するものであり、且つ、これら各保持ブロックのうちの少なくとも１個の保持ブロックは、互いに反対側の端部に設けられると共に、内部で互いに導通された第二接続部及び第三接続部を有するものであり、センサホルダ内に複数の保持ブロックを、これら各保持ブロックのうちの少なくとも１個の保持ブロックに設けた第一接続部と当該保持ブロックとは別の保持ブロックに設けた第二接続部とを接続した状態で組み込んでいる、請求項１に記載したセンサユニット。
【請求項３】
複数種類のセンサが、回転速度センサと温度センサと振動センサとのうちから選択される２種類以上のセンサである、請求項１又は請求項２に記載したセンサユニット。
【請求項４】
内周面に外輪軌道を有する外輪と、外周面に内輪軌道を有する内輪と、これら外輪軌道と内輪軌道との間に転動自在に設けられた複数個の転動体とを有する転がり軸受と、上記外輪と内輪とのうちで回転しない軌道輪である静止輪若しくはこの静止輪を保持固定した部材に支持した、請求項１〜３の何れかに記載したセンサユニットとから成るセンサ付転がり軸受装置。
【手続補正２】
【補正対象書類名】明細書
【補正対象項目名】００２０
【補正方法】変更
【補正の内容】
【００２０】
特に、本発明のセンサユニットに於いては、上記各センサ毎に設けられた複数の保持ブロックと、これら複数の保持ブロックを保持自在な単一のセンサホルダとを備える。そして、これら各保持ブロックは、上記各センサのうちの少なくとも１個のセンサと、このセンサの検出部から取り出した信号を処理する為の信号処理回路とを有する。
又、請求項２に記載したセンサユニットに於いては、上記各保持ブロックは、この信号処理回路により処理された信号を取り出す為の第一接続部を有する。且つ、上記各保持ブロックのうちの少なくとも１個の保持ブロックは、互いに反対側の端部に設けられると共に、内部で互いに導通された第二接続部及び第三接続部を有する。そして、上記センサホルダ内に上記複数の保持ブロックを、これら各保持ブロックのうちの少なくとも１個の保持ブロックに設けた第一接続部と当該保持ブロックとは別の保持ブロックに設けた第二接続部とを接続した状態で組み込んでいる。
【手続補正３】
【補正対象書類名】明細書
【補正対象項目名】００２１
【補正方法】変更
【補正の内容】
【００２１】
又、請求項４に記載したセンサ付転がり軸受装置は、内周面に外輪軌道を有する外輪と、外周面に内輪軌道を有する内輪と、これら外輪軌道と内輪軌道との間に転動自在に設けられた複数個の転動体とを有する転がり軸受と、上記外輪と内輪とのうちで回転しない軌道輪である静止輪若しくはこの静止輪を保持固定した部材に支持した、上記センサユニットとから成る。
【手続補正４】
【補正対象書類名】明細書
【補正対象項目名】００３８
【補正方法】変更
【補正の内容】
【００３８】
そして、この状態で上記センサホルダ３４ａの内側に、上記第一、第二両保持ブロック３８、３９を、上記第一保持ブロック３８を下にした状態で挿入する。又、上記第一、第二両保持ブロック３８、３９に設けた係止突部７６、７６を、上記センサホルダ３４ａの内周面に形成した係止溝７７に係合させる。そして、上記接続部材５２の上端部に設けた各接続部６３、６３に前記各ハーネス６２、６２の端部を接続した状態で、上記接続部材５２の下端部に設けた各雌端子６４、６４と上記第二保持ブロック３９の各雄端子４３ｂ〜４５ｂとを接続する。次いで、上記センサホルダ３４ａの内周面に設けた段差面５９の複数個所に設けた、図示しないねじ孔に、上記接続部材５２に設けた通孔６１、６１を挿通した複数本のねじ６０、６０の雄ねじ部を螺合し、更に緊締する事により、上記接続部材５２を上記センサホルダ３４ａに固定する。尚、図１〜３に示すセンサユニット３３ａの場合、上記第一保持ブロック３８に設けた各第一雄端子４３ａが請求項２に記載した第一接続部に、上記第二保持ブロック３９に設けた各第一雌端子４６ｂが請求項２に記載した第二接続部に、同じく各第一雄端子４３ｂが請求項２に記載した第三接続部に、それぞれ相当する。
【手続補正５】
【補正対象書類名】明細書
【補正対象項目名】００４６
【補正方法】変更
【補正の内容】
【００４６】
図１０に示す、前記センサユニット３３ｂは、前記センサホルダ３４ａ内に、上述の様な第三保持ブロック７３と、前記温度センサ５０を設けた第二保持ブロック３９とを組み込んでいる。即ち、このセンサユニット３３ｂの場合、上記第二保持ブロック３９の上端部に設けた各雄端子４３ｂ〜４５ｂと、上記第三保持ブロック７３の下端部に設けた各雌端子４６ｃ〜４８ｃとを接続した状態で、上記センサホルダ３４ａの内側に上記第二、第三両保持ブロック３９、７３を、第二保持ブロック３９を下にした状態で挿入している。この際、この第二保持ブロック３９に設けた各第三雄端子４５ｂと、上記第三保持ブロック７３に設けた各第三雌端子４８ｃとを接続する事により、上記第二保持ブロック３９に設けた温度センサ５０からの信号を、上記第三保持ブロック７３に設けた各第三雄端子４８ｃを介して取り出し自在としている。又、上記第三保持ブロック７３に設けた加速度センサ７２からの信号は、この第三保持ブロック７３に設けた各第二雄端子４４ｃを介して取り出し自在としている。尚、図１０に示すセンサユニット３３ｂの場合、上記第二保持ブロック３９に設けた各第三雄端子４５ｂが請求項２に記載した第一接続部に、上記第三保持ブロック７３に設けた各第三雌端子４８ｃが請求項２に記載した第二接続部に、同じく各第三雄端子４５ｃが請求項２に記載した第三接続部に、それぞれ相当する。そして、前述の図１〜３に示したセンサユニット３３ａと同様に、上記センサホルダ３４ａに、上記第二、第三各保持ブロック３９、７３と共に、接続部材５２と、蓋部材５３と、ケーブル抑え部材５４とを結合して、センサユニット３４ａとしている。
【手続補正６】
【補正対象書類名】明細書
【補正対象項目名】００５０
【補正方法】変更
【補正の内容】
【００５０】
又、上記各センサユニット３３ａ、３３ｂを構成するのに使用した上記センサホルダ３４ａに、回転速度センサ４０を設けた第一保持ブロック３８と、加速度センサ７２を設けた第三保持ブロック７３とを組み込んで、図１１に示す様な、回転速度と振動とを検知する為のセンサユニット３３ｃを構成する事もできる。即ち、このセンサユニット３３ｃは、上記第一保持ブロック３８の上端部に設けた各雄端子４３ａ〜４５ａと上記第三保持ブロック７３の下端部に設けた各雌端子４６ｃ〜４８ｃとを接続した状態で、上記センサホルダ３４ａの内側に上記第一、第三両保持ブロック３８、７３を、第一保持ブロック３８を下にした状態で挿入している。この際、上記第一保持ブロック３８に設けた各第一雄端子４３ａと、上記第三保持ブロック７３に設けた各第一雌端子４６ｃとを接続する事により、上記第一保持ブロック３８に設けた回転速度センサ４０からの信号を、上記第三保持ブロック７３に設けた各第一雄端子４３ｃを介して取り出し自在としている。又、上記第三保持ブロック７３に設けた加速度センサ７２からの信号を、この第三保持ブロック７３に設けた各第二雄端子４４ｃを介して取り出し自在としている。尚、図１１に示すセンサユニット３３ｃの場合、上記第一保持ブロック３８に設けた各第一雄端子４３ａが請求項２に記載した第一接続部に、上記第三保持ブロック７３に設けた各第一雌端子４６ｃが請求項２に記載した第二接続部に、同じく各第一雄端子４３ｃが請求項２に記載した第三接続部に、それぞれ相当する。
【手続補正７】
【補正対象書類名】明細書
【補正対象項目名】００５５
【補正方法】変更
【補正の内容】
【００５５】
尚、図１２に示すセンサユニット３３ｄの場合、上記第一保持ブロック３８に設けた各第一雄端子４３ａと上記第二保持ブロック３９に設けた各第三雄端子４５ｂとが、請求項２に記載した第一接続部に、上記第二保持ブロック３９に設けた各第一雌端子４６ｂと上記第三保持ブロック７３に設けた各第三雌端子４８ｃとが、請求項２に記載した第二接続部に、上記第二保持ブロック３９に設けた各第一雄端子４３ｂと上記第三保持ブロック７３に設けた各第三雄端子４５ｃとが請求項２に記載した第三接続部に、それぞれ相当する。